(57)【要約】【課題】無線ネットワークアーキテクチャにおけるノード間において、レイヤの状態に応じた適切な制御を行うこと。【解決手段】  ネットワークノードは、ユーザ装置及び第１のネットワークノードと接続される第２のネットワークノードであって、前記ユーザ装置と前記第２のネットワークノードとの間で終端されるレイヤに関する情報を取得する制御部と、前記レイヤに関する情報を前記第１のネットワークノードに送信する送信部とを有し、前記レイヤは、前記ユーザ装置と前記第１のネットワークノードとの間では終端されない。【選択図】図１
2019068149.tif 000002
【特許請求の範囲】
【請求項１】
ユーザ装置及び第１のネットワークノードと接続される第２のネットワークノードであって、
前記ユーザ装置と前記第２のネットワークノードとの間で終端されるレイヤに関する情報を取得する制御部と、
前記レイヤに関する情報を前記第１のネットワークノードに送信する送信部とを有し、
前記レイヤは、前記ユーザ装置と前記第１のネットワークノードとの間では終端されないネットワークノード。
【請求項２】
前記レイヤに関する情報は、ＰＨＹレイヤ、ＭＡＣレイヤ又はＲＬＣレイヤの状態を示す情報を少なくともひとつ含む請求項１記載のネットワークノード。
【請求項３】
前記ＰＨＹレイヤ、ＭＡＣレイヤ又はＲＬＣレイヤの状態を示す情報は前記ユーザ装置との同期状態を示す情報を含み、前記同期状態を示す情報が同期していないことを示す場合、前記第１のネットワークノードは、前記ユーザ装置のＲＲＣレイヤにおけるリソースを解放する請求項２記載のネットワークノード。
【請求項４】
前記レイヤに関する情報は、ＲＲＣレイヤ、ＰＤＣＰレイヤ又はＳＤＡＰレイヤの状態を示す情報を少なくともひとつ含む請求項１記載のネットワークノード。
【請求項５】
前記ＲＲＣレイヤの状態を示す情報は、前記ユーザ装置がＲＲＣレイヤの設定を完了したか否かを示す情報を含む請求項４記載のネットワークノード。
【請求項６】
ユーザ装置及び第１のネットワークノードと接続される第２のネットワークノード及び第３のネットワークノードを含む通信システムであって、
前記第２のネットワークノードは、
前記ユーザ装置と前記第２のネットワークノードとの間のＣ−Ｐｌａｎｅにおいて終端されるレイヤに関する情報を取得する管理部と、
前記Ｃ−Ｐｌａｎｅにおいて終端されるレイヤに関する情報を前記第１のネットワークノードに送信する送信部とを有し、
前記Ｃ−Ｐｌａｎｅにおいて終端されるレイヤは、前記ユーザ装置と前記第１のネットワークノードとの間では終端されず、
前記第３のネットワークノードは、
前記ユーザ装置と前記第３のネットワークノードとの間のＵ−Ｐｌａｎｅにおいて終端されるレイヤに関する情報を取得する管理部と、
前記Ｕ−Ｐｌａｎｅにおいて終端されるレイヤに関する情報を前記第１のネットワークノードに送信する送信部とを有し、
前記Ｕ−Ｐｌａｎｅにおいて終端されるレイヤは、前記ユーザ装置と前記第１のネットワークノードとの間では終端されない通信システム。
【発明の詳細な説明】
【技術分野】
【０００１】
本発明は、ネットワークノード及び通信システムに関する。
【背景技術】
【０００２】
３ＧＰＰ（3rd Generation Partnership Project）では、システム容量の更なる大容量化、データ伝送速度の更なる高速化、無線区間における更なる低遅延化等を実現するために、５ＧあるいはＮＲ（New Radio）と呼ばれる無線通信方式（以下、当該無線通信方式を「５Ｇ」又は「ＮＲ」という。）の検討が進んでいる。ＮＲでは、１０Ｇｂｐｓ以上のスループットを実現しつつ無線区間の遅延を１ｍｓ以下にするという要求条件を満たすために、様々な無線技術の検討が行われている。
【０００３】
また、５Ｇにおいて、無線ネットワークアーキテクチャにおけるＣＵ（Central Unit、集約基地局）と、ＤＵ（Distributed Unit、リモート局）との機能分担の見直しが行われている（例えば非特許文献１）。
【先行技術文献】
【非特許文献】
【０００４】
【非特許文献１】３ＧＰＰ  ＴＳ  ３８．４０１  Ｖ１４．３．０（２０１７−０７）
【発明の概要】
【発明が解決しようとする課題】
【０００５】
５Ｇの無線ネットワークアーキテクチャにおいて、ＣＵとＤＵとでノードが分離されて、従来のレイヤ構成ではひとつのノードで閉じていたレイヤ構成が、ＣＵ−ＤＵ間で当該レイヤ構成が分離されるため、各レイヤの状態に応じた適切な制御が必要となる。
【０００６】
本発明は、上記の点に鑑みてなされたものであり、無線ネットワークアーキテクチャにおけるノード間において、レイヤの状態に応じた適切な制御を行うことを目的とする。
【課題を解決するための手段】
【０００７】
開示の技術によれば、ネットワークノードは、ユーザ装置及び第１のネットワークノードと接続される第２のネットワークノードであって、前記ユーザ装置と前記第２のネットワークノードとの間で終端されるレイヤに関する情報を取得する制御部と、前記レイヤに関する情報を前記第１のネットワークノードに送信する送信部とを有し、前記レイヤは、前記ユーザ装置と前記第１のネットワークノードとの間では終端されないネットワークノードが提供される。
【発明の効果】
【０００８】
開示の技術によれば、無線ネットワークアーキテクチャにおけるノード間において、レイヤの状態に応じた適切な制御を行うことができる。
【図面の簡単な説明】
【０００９】
【図１】本発明の実施の形態における無線ネットワークアーキテクチャの構成例を示す図である。
【図２】本発明の実施の形態におけるＵ−Ｐｌａｎｅプロトコルスタックの構成例を示す図である。
【図３】レイヤの構成例を示す図である。
【図４】本発明の実施の形態におけるレイヤの構成例を示す図である。
【図５】本発明の実施の形態におけるノード間メッセージを説明するためのシーケンス図である。
【図６】本発明の実施の形態におけるＣ−Ｐｌａｎｅ及びＵ−Ｐｌａｎｅの構成例を示す図である。
【図７】本発明の実施の形態におけるＣＵ１００の機能構成の一例を示す図である。
【図８】本発明の実施の形態におけるＤＵ２００の機能構成の一例を示す図である。
【図９】本発明の実施の形態におけるＵＥ３００の機能構成の一例を示す図である。
【図１０】本発明の実施の形態におけるＣＵ１００、ＤＵ２００又はＵＥ３００のハードウェア構成の一例を示す図である。
【発明を実施するための形態】
【００１０】
以下、図面を参照して本発明の実施の形態を説明する。なお、以下で説明する実施の形態は一例であり、本発明が適用される実施の形態は、以下の実施の形態に限られない。
【００１１】
本実施の形態の無線通信システムの動作にあたっては、適宜、既存技術が使用される。ただし、当該既存技術は、例えば既存のＬＴＥであるが、既存のＬＴＥに限られない。また、本明細書で使用する用語「ＬＴＥ」は、特に断らない限り、ＬＴＥ−Ａｄｖａｎｃｅｄ、及び、ＬＴＥ−Ａｄｖａｎｃｅｄ以降の方式（例：５Ｇ又はＮＲ）を含む広い意味を有するものとする。なお、ＬＴＥ又はＬＴＥ−Ａｄｖａｎｃｅｄを「４Ｇ」と呼んでもよい。
【００１２】
また、以下で説明する実施の形態では、既存のＬＴＥで使用されているＳＳ（Synchronization Signal）、ＰＳＳ（Primary SS）、ＳＳＳ（Secondary SS）、ＰＢＣＨ（Physical broadcast channel）、ＰＲＡＣＨ（Physical RACH）、ＰＤＣＣＨ（Physical Downlink Conrol Channel）、ＰＤＳＣＨ（Physical Downlink Shared Channel）等の用語を使用しているが、これは記載の便宜上のためであり、これらと同様の信号、機能等が他の名称で呼ばれてもよい。また、ＮＲにおける上述の用語は、ＮＲ−ＳＳ、ＮＲ−ＰＳＳ、ＮＲ−ＳＳＳ、ＮＲ−ＰＢＣＨ、ＮＲ−ＰＲＡＣＨ、ＮＲ−ＰＤＣＣＨ、ＮＲ−ＰＤＳＣＨ等に対応する。
【００１３】
図１は、本発明の実施の形態における無線ネットワークアーキテクチャの構成例を示す図である。本発明の実施の形態における無線ネットワークアーキテクチャは、図１に示されるように、ＬＴＥ−Ａｄｖａｎｃｅｄにおいては、４Ｇ−ＣＵ、４Ｇ−ＲＵ（Remote Unit、リモート無線局）、ＥＰＣ（Evolved Packet Core）等を含む。一方、５Ｇにおける無線ネットワークアーキテクチャは、４Ｇ−ＣＵ、４Ｇ−ＲＵ、５Ｇ−ＣＵ（以下、ＣＵ１００という。）、５Ｇ−ＤＵ（以下、ＤＵ２００という。）、ＥＰＣ等を含む。
【００１４】
図１に示されるように、４Ｇ−ＣＵは、ＲＲＣ（Radio Resource Control）、ＰＤＣＰ（Packet Data Convergence Protocol）、ＲＬＣ（Radio Link Control）、ＭＡＣ（Medium Access Control）、Ｌ１（レイヤ１、ＰＨＹ層又は物理層）までのレイヤを含み、ＣＰＲＩ（Common Public Radio Interface）を介して４Ｇ−ＲＵと接続されている。
【００１５】
一方、図１に示されるように、ＣＵ１００は、ＲＲＣレイヤを含み、ＤＵ２００とＦＨインタフェースを介して接続されている。また、ＣＵ１００は、４Ｇ−ＣＵとＸ２インタフェースで接続されている。４Ｇ−ＣＵにおけるＰＤＣＰレイヤが、４Ｇ−５ＧのＤＣ（Dual Connectivity）を行う場合の結合又は分離ポイントとなる。
【００１６】
また、図１に示されるように、４Ｇ−ＲＵ間において、ＣＡ（Carrier Aggregation）が行われ、４Ｇ−ＲＵと５Ｇ−ＤＵとで、ＤＣが行われる。なお図示しないが、ＵＥ（User Entity）３００が、４Ｇ−ＲＵ又は５Ｇ−ＤＵのＲＦを介して無線接続される。
【００１７】
なお、図１は、ＬＴＥ−ＮＲのＤＣ時の無線ネットワークアーキテクチャを示している。しかしながら、４Ｇ−ＣＵをＣＵ−ＤＵに分離する場合、又はＮＲスタンドアロン運用する場合も、同様の無線ネットワークアーキテクチャが使用されてよい。４Ｇ−ＣＵをＣＵ−ＤＵに分離する場合、ＲＲＣレイヤ及びＰＤＣＰレイヤに係る機能を４Ｇ−ＣＵに移し、ＲＬＣレイヤ以下を４Ｇ−ＤＵに含める構成としてもよい。なお、ＣＵ−ＤＵ分離によって、ＣＰＲＩのデータレートが低減されてもよい。また、５Ｇ−ＣＵに、複数の５Ｇ−ＤＵが接続されていてもよい。
【００１８】
ここで、従来は、物理レイヤからＲＲＣレイヤまでが一つのノードに閉じて制御していたため、ＲＲＣレイヤで各レイヤの情報を吸い上げて制御することが可能であった。しかしながら５Ｇにおいては、図１に示されるように、ＲＬＣレイヤ以下をＤＵ、ＰＤＣＰレイヤ以上をＣＵで管理するため、ＲＲＣレイヤでＲＬＣレイヤ以下の状況を把握できないため、ＲＬＣレイヤ以下の各レイヤの状態に応じた適切な制御が困難となった。一方、ＤＵ内のレイヤはＲＲＣの状態に応じた適切な制御が困難となった。
【００１９】
（実施例）
以下、実施例について説明する。
【００２０】
図２は、本発明の実施の形態におけるＵ−Ｐｌａｎｅプロトコルスタックの構成例を示す図である。図２において、５ＧにおけるＵ−ＰｌａｎｅプロトコルスタックとＣＵ−ＤＵ分離について説明する。
【００２１】
図２に示されるように、Ｕ−Ｐｌａｎｅプロトコルスタックは、下位層から、ＰＨＹレイヤ、ＭＡＣレイヤ、ＲＬＣレイヤ、ＰＤＣＰレイヤ、ＳＤＡＰ（Service Data Adaptation Protocol）レイヤで構成される。ＳＤＡＰレイヤは、５Ｇコアネットワークの場合に適用されるレイヤであり、ＩＰフローと無線ベアラのマッピングを行う。５ＧにおいてＣＵ−ＤＵ分離が行われた場合、Ｕ−Ｐｌａｎｅプロトコルスタックの各レイヤは、ＤＵが、ＲＦ、ＰＨＹレイヤ、ＭＡＣレイヤ、ＲＬＣレイヤを含み、ＣＵが、ＰＤＣＰレイヤ、ＳＤＡＰレイヤを含む。ＣＵは、さらにＣＮ（Core Network）に接続される。すなわち、図２に示されるように、ＲＬＣレイヤとＰＤＣＰレイヤ間でＣＵ−ＤＵ分離は行われる。
【００２２】
図３は、レイヤの構成例を示す図である。図３において、Ｃ−Ｐｌａｎｅプロトコルスタックの構成例を説明する。図３に示されるように、Ｃ−Ｐｌａｎｅプロトコルスタックは、下位層から、ＰＨＹレイヤ、ＭＡＣレイヤ、ＲＬＣレイヤ、ＰＤＣＰレイヤ及びＲＲＣレイヤから構成される。図３では、ＣＵ−ＤＵ分離は行われていないため、ＰＨＹレイヤからＲＲＣレイヤまで一つのノードにおいて制御されている。したがって、ＲＲＣレイヤにおいて、各レイヤと状態通知を互いに行って制御することが容易であった。
【００２３】
図４は、本発明の実施の形態におけるレイヤの構成例を示す図である。図４において、Ｃ−ＰｌａｎｅプロトコルスタックのＣＵ−ＤＵ分離時の構成例を説明する。図４に示されるように、ＣＵ−ＤＵ分離時の構成では、ＤＵ２００にＰＨＹレイヤ、ＭＡＣレイヤ及びＲＬＣレイヤが含まれ、ＣＵ１００にＰＤＣＰレイヤ及びＲＲＣレイヤが含まれる。また、ＣＵ１００とＤＵ２００とは、Ｆ１インタフェースで接続されている。
【００２４】
ここで、ＣＵ１００におけるＲＲＣレイヤが、ＰＤＣＰレイヤと状態通知を互いに行う場合、ＣＵ１００に双方が含まれるため、ＰＤＣＰレイヤの情報を取得して制御することが容易であった。一方、ＣＵ１００におけるＲＲＣレイヤが、ＰＨＹレイヤ、ＭＡＣレイヤ又はＲＬＣレイヤと状態通知を互いに行う場合、ＤＵ２００にＰＨＹレイヤ、ＭＡＣレイヤ又はＲＬＣレイヤが含まれるため、ＰＨＹレイヤ、ＭＡＣレイヤ又はＲＬＣレイヤの情報を取得して制御することが困難となった。
【００２５】
そこで、ＣＵ−ＤＵ間において、互いのノードに係る状況を、ネットワークインタフェースを用いて通知することが考えられる。
【００２６】
例えば、ＤＵ２００からＣＵ１００に以下の情報を通知してもよい。なお、ＤＵ２００にＵＥ３００が無線接続されているとする。
（１）ＵＥ３００のＰＨＹレイヤの状態又はＭＡＣレイヤの状態
（１−１）同期状態が通知されてもよい。同期状態には、例えば、ＵＥ３００の無線接続状態、セル又はビームの接続状態、ＵＬ（Uplink）同期状態、ＲＡ手順（Random Access Procedure）の成功又は失敗の状態が含まれる。また、ＤＵ２００から、同期状態ＮＧがＣＵ１００に通知された場合、ＣＵ１００は、ＵＥ３００が圏外の状態に移行したと判定して、ＵＥ  ｃｏｎｔｅｘｔ（当該ＵＥに係るリソース等）を解放してもよい。当該ＵＥ  ｃｏｎｔｅｘｔを解放することにより、不要なリソースを確保しつつづけることを回避することができる。また、ＵＥ３００が一度同期状態ＮＧとなり、ＣＵ１００に同期状態ＮＧを通知したのち、ＤＵ２００がＵＥ３００が同期状態ＯＫ又は同期状態復帰となったことを判定した場合、ＤＵ２００はＣＵ１００に同期状態ＯＫ又は同期状態復帰を通知してもよい。
（１−２）ＤＲＸ（Discontinuous Reception）に係る状態、ＴＡ（Timing Alignment）タイマ起動状態（ＵＬのＴＡ状態）が通知されてもよい。ＣＵ１００において、リソースを有効活用するため、通信が発生していないＵＥ３００の無線リソースを優先的に開放するとき、すなわちＵＥ３００をＩＤＬＥ状態に遷移させるとき、ＤＵ２００において管理しているＤＲＸ状態、ＴＡタイマ起動状態をＣＵ１００に通知してもよい。
（１−３）ＵＥ３００のｄａｔａ  ａｃｔｉｖｉｔｙ（通信有無）の状態が通知されてもよい。ＤＵ２００においてＵＥ３００のｄａｔａ  ａｃｔｉｖｉｔｙ状態を管理する場合、ＤＵ２００は所定期間データ通信の無かったＵＥ３００又はベアラをＣＵ１００に通知して、ＣＵ１００のＲＲＣレイヤにより解放させる。当該ｄａｔａ  ａｃｔｉｖｉｔｙ状態は、サービングセル単位、セルグループ単位、ＭＡＣ  ｅｎｔｉｔｙ単位で管理及び通知されてもよい。
（２）ＲＬＣレイヤの状態
ＲＬＣ再送超過、所定期間ＲＬＣ  ＰＤＵ（Protocol Data Unit）を受信していない場合、ＲＬＣのプロトコルエラーとして、ＣＵ１００に通知し、ＣＵ１００においてＲＬＣレイヤをｒｅ−ｅｓｔａｂｌｉｓｈｍｅｎｔ（例えば、イントラセルハンドオーバを起動する）してもよい。
【００２７】
なお、上記の通知においては、ＵＥ３００、ベアラ又はＬＣＨ（Logical Channel）の識別子が通知されてもよい。
【００２８】
上記のＤＵ２００から送信される通知は、ＣＵ１００から通知された場合に設定されてもよい。また、ＤＵ２００は、上記の各通知を行う能力があることをＣａｐａｂｉｌｉｔｙとしてＣＵ１００に通知してもよい。
【００２９】
また、ＤＵ２００において上記の通知をトリガするためのパラメータ、例えば、ｉｎａｃｔｉｖｉｔｙタイマ、ＴＡタイマ等は、ＣＵ１００又はＯＡＭ（Operations Administration and Maintenance）から通知される。
【００３０】
図５は、本発明の実施の形態におけるノード間メッセージを説明するためのシーケンス図である。図５は、ＣＵ１００からＤＵ２００に通知する情報を説明するためのシーケンスである。ＤＵ２００に関連するＲＲＣ  ｒｅｃｏｎｆｉｇｕｒａｔｉｏｎの状況がＣＵ１００に通知されてもよい。
【００３１】
図５に示されるステップＳ１１において、ＤＵ２００は、ＲＲＣに係る「Ｒｅｃｏｎｆｉｇｕｒａｔｉｏｎ  ｒｅｑｕｅｓｔ」をＣＵ１００に通知する。続いて、ＣＵ１００は、「ＲＲＣ  ｃｏｎｎｅｃｔｉｏｎ  ｒｅｃｏｎｆｉｇｕｒａｔｉｏｎ」をＵＥ３００に通知する（Ｓ１２）。続いて、ＵＥ３００は、「ＲＲＣ  ｃｏｎｎｅｃｔｉｏｎ  ｒｅｃｏｎｆｉｇｕｒａｔｉｏｎ  ｃｏｍｐｌｅｔｅ」をＣＵ１００に通知する（Ｓ１３）。ステップＳ１２及びステップＳ１３において、ＤＵ２００は、当該ＲＲＣメッセージを中継する動作となる。ステップＳ１４において、ＣＵ１００は、ＲＲＣ  ｓｔａｔｅを「Ｃｏｍｐｌｅｔｅｄ」として、必要な情報を含めてＤＵ２００に通知する。
【００３２】
例えばステップＳ１４において、ＤＵ２００はＵＥ３００がＲＲＣレイヤでの設定が完了を識別する必要があるため、ＵＥ３００への設定が完了したこと又は設定が失敗したことが、ＣＵ１００からＤＵ２００に通知されてもよい。ＤＵ２００は、ＵＥ３００においてＲＲＣレイヤに係る設定が完了したことを直接把握することができないため、ＣＵ１００からの通知によりＲＲＣ状態を同期する必要がある。
【００３３】
また例えばステップＳ１４において、ＳＣｅｌｌ（ＤＬ／ＵＬ）設定、ｓＴＡＧ（TA Group）、Ｔｒａｎｓｍｉｓｓｉｏｎ  ｍｏｄｅ、ｘＱＡＭ（Quadrature Amplitude Modulation）等が、ＣＵ１００からＤＵ２００に通知されてもよい。ｓＴＡＧの設定の場合は、対応する設定情報又は設定手順の識別子等が通知されてもよい。また、ＩＤＣ（In Device Coexistence）に関連する状態等のスケジューラ動作に関する情報が、ＣＵ１００からＤＵ２００に通知されてもよい。
【００３４】
また例えばステップＳ１４は、図５に示されるようなＤＵ２００トリガのＲＲＣ  ｒｅｃｏｎｆｉｇｕｒａｔｉｏｎであった場合には、ＤＵ２００からのｒｅｑｕｅｓｔに対する応答として、ＣＵ１００からＤＵ２００に通知されてもよい。すなわち、応答メッセージに、ＲＲＣ  ｒｅｃｏｎｆｉｇｕｒａｔｉｏｎの「完了」又は「中止」等を示す情報が含まれてもよい。
【００３５】
上述のようにＣＵ１００から通知される情報によって、ＤＵ２００は、ＲＲＣレイヤの状態を把握して、ＲＬＣレイヤ以下を適切に制御することができる。
【００３６】
図６は、本発明の実施の形態におけるＣ−Ｐｌａｎｅ及びＵ−Ｐｌａｎｅの構成例を示す図である。図６において、Ｃ−ＰｌａｎｅノードとＵ−Ｐｌａｎｅノードとでさらにネットワーク内ノードを分離する例を説明する。図６に示されるように、ＣＵ１００が「ＣＰ  ｎｏｄｅ」と「ＵＰ  ｎｏｄｅ」とに分離されている。ＣＰ  ｎｏｄｅは、ＲＲＣレイヤ及びＰＤＣＰレイヤを含む。ＵＰ  ｎｏｄｅは、ＳＤＡＰレイヤ及びＰＤＣＰレイヤを含む。ＣＰ  ｎｏｄｅとＵＰ  ｎｏｄｅとは、Ｅ１インタフェースで接続され、状態通知を互いに行う。ＣＰ  ｎｏｄｅ及びＵＰ  ｎｏｄｅとＤＵとは、それぞれＦ１インタフェースで接続される。なお、ＣＰ  ｎｏｄｅとＤＵノードは、ロジカルなノードであるため、物理的には同一ノード内に設置されてもよい。
【００３７】
ＲＲＣレイヤは、Ｃ−Ｐｌａｎｅノードで管理され、それ以外のレイヤはＵ−Ｐｌａｎｅノードで管理されるため、図４及び図５で説明したＣＵ−ＤＵ間のメッセージが、Ｃ−Ｐｌａｎｅノード、Ｕ−Ｐｌａｎｅノード又はＤＵ２００の間で通知されてもよい。さらに、Ｕ−Ｐｌａｎｅノードで管理されるＳＤＡＰレイヤ又はＰＤＣＰレイヤに関連する通知が、Ｃ−Ｐｌａｎｅノード又はＤＵ２００に送信されてもよい。
【００３８】
例えば、上記通知されるノード間メッセージには、ＰＤＣＰレイヤにおけるＣＯＵＮＴ周回、Ｉｎｔｅｇｒｉｔｙ  ｖｅｒｉｆｉｃａｔｉｏｎ失敗、ＲＯＨＣ（Robust Header Compression）  ＣＲＣ（Cyclic Redundancy Check）  ＮＧ等を示す情報が含まれてもよい。当該メッセージに応答して、Ｃ−Ｐｌａｎｅ  ｎｏｄｅは、セキュリティ変更又はＰＤＣＰレイヤのｒｅ−ｅｓｔａｂｌｉｓｈｍｅｎｔを、例えばイントラセルハンドオーバによって行う。
【００３９】
上述の実施例において、ＣＵ１００及びＤＵ２００それぞれのノードに含まれるレイヤの状況をネットワークインタフェースを用いて互いに通知することで、他ノードに含まれるレイヤの状況を取得して自ノードのレイヤ等を適切に制御することができる。
【００４０】
すなわち、無線ネットワークアーキテクチャにおけるノード間において、レイヤの状態に応じた適切な制御を行うことができる。
【００４１】
（装置構成）
次に、これまでに説明した処理及び動作を実行するＣＵ１００、ＤＵ２００及びＵＥ３００の機能構成例を説明する。ＣＵ１００、ＤＵ２００及びＵＥ３００はそれぞれ、少なくとも実施例を実施する機能を含む。ただし、ＣＵ１００、ＤＵ２００及びＵＥ３００はそれぞれ、実施例の中の一部の機能のみを備えることとしてもよい。
【００４２】
図７は、ＣＵ１００の機能構成の一例を示す図である。図７に示されるように、ＣＵ１００は、送信部１１０と、受信部１２０と、設定情報管理部１３０と、レイヤ情報管理部１４０とを有する。図７に示される機能構成は一例に過ぎない。本発明の実施の形態に係る動作を実行できるのであれば、機能区分及び機能部の名称はどのようなものでもよい。
【００４３】
送信部１１０は、ＤＵ２００、他のＣＵ１００又はその他のネットワークノードに送信する信号を生成し、当該信号を送信する機能を含む。受信部１２０は、ＤＵ２００、他のＣＵ１００又はその他のネットワークノードから送信された各種の信号を受信し、受信した信号から、例えばより上位のレイヤの情報を取得する機能を含む。
【００４４】
設定情報管理部１３０は、予め設定される設定情報を格納する。設定情報の内容は、例えば、レイヤ情報、ＲＲＣに係る情報等である。
【００４５】
レイヤ情報管理部１４０は、実施例において説明したように、レイヤの状態に係る情報の制御を行う。
【００４６】
図８は、ＤＵ２００の機能構成の一例を示す図である。図８に示されるように、ＤＵ２００は、送信部２１０と、受信部２２０と、設定情報管理部２３０と、レイヤ情報制御部２４０とを有する。図８に示される機能構成は一例に過ぎない。本発明の実施の形態に係る動作を実行できるのであれば、機能区分及び機能部の名称はどのようなものでもよい。
【００４７】
送信部２１０は、ＵＥ３００に送信する信号を生成し、当該信号を無線で送信する機能を含む。また、送信部２１０は、ＣＵ１００に信号を送信する機能を有する。受信部２２０は、ＵＥ３００から送信された各種の信号を受信し、受信した信号から、例えばより上位のレイヤの情報を取得する機能を含む。また、送信部２１０は、ＵＥ３００に報知情報、制御情報又はデータ等を送信する機能を有する。
【００４８】
設定情報管理部２３０は、予め設定される設定情報、及び、ＣＵ１００又はＵＥ３００に送信する各種の設定情報を格納する。設定情報の内容は、例えば、レイヤ情報、報知情報又は制御情報等である。
【００４９】
レイヤ情報制御部２４０は、実施例において説明したように、レイヤの状態に係る情報の制御を行う。
【００５０】
図９は、ＵＥ３００の機能構成の一例を示す図である。図９に示されるように、ＵＥ３００は、送信部３１０と、受信部３２０と、設定情報管理部３３０と、無線リソース制御部３４０とを有する。図９に示される機能構成は一例に過ぎない。本発明の実施の形態に係る動作を実行できるのであれば、機能区分及び機能部の名称はどのようなものでもよい。
【００５１】
送信部３１０は、送信データから送信信号を作成し、当該送信信号を無線でＤＵ２００に送信する。受信部３２０は、ＤＵ２００からの各種の信号を無線受信し、受信した物理レイヤの信号からより上位のレイヤの信号を取得する。また、受信部３２０は、ＤＵ２００から報知情報、制御情報又はデータ等を受信する。設定情報管理部３３０は、受信部３２０によりＤＵ２００から受信した各種の設定情報を格納する。また、設定情報管理部３３０は、予め設定される設定情報も格納する。設定情報の内容は、例えば、ＵＥ３００の各種能力情報等である。
【００５２】
無線リソース制御部３４０は、実施例において説明したように、ＤＵ２００との無線通信に係るリソースを制御する。無線リソース制御部３４０における制御信号等の受信に係る機能部を受信部３２０に含めてもよい。
【００５３】
（ハードウェア構成）
上述の本発明の実施の形態の説明に用いた機能構成図（図７、図８及び図９）は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に複数要素が結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００５４】
また、例えば、本発明の一実施の形態におけるＣＵ１００、ＤＵ２００及びＵＥ３００はいずれも、本発明の実施の形態に係る処理を行うコンピュータとして機能してもよい。図１０は、本発明の実施の形態に係るＣＵ１００、ＤＵ２００又はＵＥ３００である通信装置のハードウェア構成の一例を示す図である。上述のＣＵ１００、ＤＵ２００及びＵＥ３００はそれぞれ、物理的には、プロセッサ１００１、記憶装置１００２、補助記憶装置１００３、通信装置１００４、入力装置１００５、出力装置１００６、バス１００７などを含むコンピュータ装置として構成されてもよい。
【００５５】
なお、以下の説明では、「装置」という文言は、回路、デバイス、ユニットなどに読み替えることができる。ＣＵ１００、ＤＵ２００及びＵＥ３００のハードウェア構成は、図に示した１００１〜１００６で示される各装置を１つ又は複数含むように構成されてもよいし、一部の装置を含まずに構成されてもよい。
【００５６】
ＣＵ１００、ＤＵ２００及びＵＥ３００における各機能は、プロセッサ１００１、記憶装置１００２などのハードウェア上に所定のソフトウェア（プログラム）を読み込ませることで、プロセッサ１００１が演算を行い、通信装置１００４による通信、記憶装置１００２及び補助記憶装置１００３におけるデータの読み出し及び／又は書き込みを制御することで実現される。
【００５７】
プロセッサ１００１は、例えば、オペレーティングシステムを動作させてコンピュータ全体を制御する。プロセッサ１００１は、周辺装置とのインタフェース、制御装置、演算装置、レジスタなどを含む中央処理装置（ＣＰＵ：Central Processing Unit）で構成されてもよい。
【００５８】
また、プロセッサ１００１は、プログラム（プログラムコード）、ソフトウェアモジュール又はデータを、補助記憶装置１００３及び／又は通信装置１００４から記憶装置１００２に読み出し、これらに従って各種の処理を実行する。プログラムとしては、上述の実施の形態で説明した動作の少なくとも一部をコンピュータに実行させるプログラムが用いられる。例えば、図７に示したＣＵ１００の送信部１１０、受信部１２０、設定情報管理部１３０、レイヤ情報管理部１４０は、記憶装置１００２に格納され、プロセッサ１００１で動作する制御プログラムによって実現されてもよい。また、例えば、図８に示したＤＵ２００の送信部２１０と、受信部２２０と、設定情報管理部２３０、レイヤ情報制御部２４０は、記憶装置１００２に格納され、プロセッサ１００１で動作する制御プログラムによって実現されてもよい。また、例えば、図９に示したＵＥ３００の送信部３１０と、受信部３２０と、設定情報管理部３３０、無線リソース制御部３４０は、記憶装置１００２に格納され、プロセッサ１００１で動作する制御プログラムによって実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００５９】
記憶装置１００２は、コンピュータ読み取り可能な記録媒体であり、例えば、ＲＯＭ（Read Only Memory）、ＥＰＲＯＭ（Erasable Programmable ROM）、ＥＥＰＲＯＭ（Electrically Erasable Programmable ROM）、ＲＡＭ（Random Access Memory）などの少なくとも１つで構成されてもよい。記憶装置１００２は、レジスタ、キャッシュ、メインメモリ（主記憶装置）などと呼ばれてもよい。記憶装置１００２は、本発明の一実施の形態に係る処理を実施するために実行可能なプログラム（プログラムコード）、ソフトウェアモジュールなどを保存することができる。
【００６０】
補助記憶装置１００３は、コンピュータ読み取り可能な記録媒体であり、例えば、ＣＤ−ＲＯＭ（Compact Disc ROM）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。補助記憶装置１００３は、補助記憶装置と呼ばれてもよい。上述の記憶媒体は、例えば、記憶装置１００２及び／又は補助記憶装置１００３を含むデータベース、サーバその他の適切な媒体であってもよい。
【００６１】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、ＣＵ１００の送信部１１０及び受信部１２０は、通信装置１００４で実現されてもよい。また、ＤＵ２００の送信部２１０及び受信部２２０は、通信装置１００４で実現されてもよい。ＵＥ３００の送信部３１０及び受信部３２０は、通信装置１００４で実現されてもよい。
【００６２】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤランプなど）である。なお、入力装置１００５及び出力装置１００６は、一体となった構成（例えば、タッチパネル）であってもよい。
【００６３】
また、プロセッサ１００１及び記憶装置１００２などの各装置は、情報を通信するためのバス１００７で接続される。バス１００７は、単一のバスで構成されてもよいし、装置間で異なるバスで構成されてもよい。
【００６４】
また、ＣＵ１００、ＤＵ２００及びＵＥ３００はそれぞれ、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、ＦＰＧＡ（Field Programmable Gate Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００６５】
（実施の形態のまとめ）
以上、説明したように、本発明の実施の形態によれば、ユーザ装置及び第１のネットワークノードと接続される第２のネットワークノードは、前記ユーザ装置と前記第２のネットワークノードとの間で終端されるレイヤに関する情報を取得する制御部と、前記レイヤに関する情報を前記第１のネットワークノードに送信する送信部とを有し、前記レイヤは、前記ユーザ装置と前記第１のネットワークノードとの間では終端されない。
【００６６】
上記の構成により、無線ネットワークアーキテクチャにおけるノード間において、レイヤの状態に応じた適切な制御を行うことができる。
【００６７】
前記レイヤに関する情報は、ＰＨＹレイヤ、ＭＡＣレイヤ又はＲＬＣレイヤの状態を示す情報を少なくともひとつ含んでよい。当該構成により、ＤＵ２００は、ＣＵ１００にＰＨＹレイヤ、ＭＡＣレイヤ及びＲＬＣレイヤの状態に係る情報を通知することができる。
【００６８】
前記ＰＨＹレイヤ、ＭＡＣレイヤ又はＲＬＣレイヤの状態を示す情報は前記ユーザ装置との同期状態を示す情報であり、前記同期状態を示す情報が同期していないことを示す場合、前記第１のネットワークノードは、前記ユーザ装置のＲＲＣレイヤにおけるリソースを解放してもよい。当該構成により、ＤＵ２００は、ＣＵ１００に不要なＲＲＣリソースを解放させることができる。
【００６９】
前記レイヤに関する情報は、ＲＲＣレイヤ、ＰＤＣＰレイヤ又はＳＤＡＰレイヤの状態を示す情報を少なくともひとつ含んでよい。当該構成により、ＣＵ１００は、ＤＵ２００にＲＲＣレイヤ、ＰＤＣＰレイヤ及びＳＤＡＰレイヤの状態に係る情報をＤＵ２００は通知することができる。
【００７０】
前記ＲＲＣレイヤの状態を示す情報は、前記ユーザ装置がＲＲＣレイヤの設定を完了したか否かを示す情報を含んでもよい。
【００７１】
また、本発明の実施の形態によれば、ユーザ装置及び第１のネットワークノードと接続される第２のネットワークノード及び第３のネットワークノードを含む通信システムであって、前記第２のネットワークノードは、前記ユーザ装置と前記第２のネットワークノードとの間のＣ−Ｐｌａｎｅにおいて終端されるレイヤに関する情報を取得する管理部と、前記Ｃ−Ｐｌａｎｅにおいて終端されるレイヤに関する情報を前記第１のネットワークノードに送信する送信部とを有し、前記Ｃ−Ｐｌａｎｅにおいて終端されるレイヤは、前記ユーザ装置と前記第１のネットワークノードとの間では終端されず、前記第３のネットワークノードは、前記ユーザ装置と前記第３のネットワークノードとの間のＵ−Ｐｌａｎｅにおいて終端されるレイヤに関する情報を取得する管理部と、前記Ｕ−Ｐｌａｎｅにおいて終端されるレイヤに関する情報を前記第１のネットワークノードに送信する送信部とを有し、前記Ｕ−Ｐｌａｎｅにおいて終端されるレイヤは、前記ユーザ装置と前記第１のネットワークノードとの間では終端されない通信システムが提供される。
【００７２】
上記の構成により、無線ネットワークアーキテクチャにおけるノード間において、レイヤの状態に応じた適切な制御を行うことができる。また、無線ネットワークアーキテクチャにおけるＣ−ＰｌａｎｅとＵ−Ｐｌａｎｅを分離したノード間において、レイヤの状態に応じた適切な制御を行うことができる。
【００７３】
（実施形態の補足）
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べた処理手順については、矛盾の無い限り処理の順序を入れ替えてもよい。処理説明の便宜上、ＣＵ１００、ＤＵ２００及びＵＥ３００は機能的なブロック図を用いて説明されたが、そのような装置はハードウェアで、ソフトウェアで又はそれらの組み合わせで実現されてもよい。本発明の実施の形態に従ってＣＵ１００又はＤＵ２００が有するプロセッサにより動作するソフトウェア及び本発明の実施の形態に従ってＵＥ３００が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００７４】
また、情報の通知は、本明細書で説明した態様／実施形態に限られず、他の方法で行われてもよい。例えば、情報の通知は、物理レイヤシグナリング（例えば、ＤＣＩ（Downlink Control Information）、ＵＣＩ（Uplink Control Information））、上位レイヤシグナリング（例えば、ＲＲＣ（Radio Resource Control）シグナリング、ＭＡＣ（Medium Access Control）シグナリング、ブロードキャスト情報（ＭＩＢ（Master Information Block）、ＳＩＢ（System Information Block））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【００７５】
本明細書で説明した各態様／実施形態は、ＬＴＥ（Long Term Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future Radio Access）、Ｗ−ＣＤＭＡ（登録商標）、ＧＳＭ（登録商標）、ＣＤＭＡ２０００、ＵＭＢ（Ultra Mobile Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００７６】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００７７】
本明細書においてＣＵ１００又はＤＵ２００によって行われるとした特定動作は、場合によってはその上位ノード（upper node）によって行われることもある。ＣＵ１００及びＤＵ２００を有する１つ又は複数のネットワークノード（network nodes）からなるネットワークにおいて、ＵＥ３００との通信のために行われる様々な動作は、ＣＵ１００又はＤＵ２００及び／又はＣＵ１００又はＤＵ２００以外の他のネットワークノード（例えば、ＭＭＥ又はＳ−ＧＷなどが考えられるが、これらに限られない）によって行われ得ることは明らかである。上記においてＣＵ１００及びＤＵ２００以外の他のネットワークノードが１つである場合を例示したが、複数の他のネットワークノードの組み合わせ（例えば、ＭＭＥ及びＳ−ＧＷ）であってもよい。
【００７８】
本明細書で説明した各態様／実施形態は単独で用いてもよいし、組み合わせて用いてもよいし、実行に伴って切り替えて用いてもよい。
【００７９】
ＵＥ３００は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【００８０】
ＣＵ１００及びＤＵ２００は、当業者によって、ＮＢ（NodeB）、ｅＮＢ（enhanced NodeB）、ｇＮＢ、ベースステーション（Base Station）、又はいくつかの他の適切な用語で呼ばれる場合もある。
【００８１】
本明細書で使用する「判断（determining）」、「決定（determining）」という用語は、多種多様な動作を包含する場合がある。「判断」、「決定」は、例えば、判定（judging）、計算（calculating）、算出（computing）、処理（processing）、導出（deriving）、調査（investigating）、探索（looking up）（例えば、テーブル、データベース又は別のデータ構造での探索）、確認（ascertaining）した事を「判断」「決定」したとみなす事などを含み得る。また、「判断」、「決定」は、受信（receiving）（例えば、情報を受信すること）、送信（transmitting）（例えば、情報を送信すること）、入力（input）、出力（output）、アクセス（accessing）（例えば、メモリ中のデータにアクセスすること）した事を「判断」「決定」したとみなす事などを含み得る。また、「判断」、「決定」は、解決（resolving）、選択（selecting）、選定（choosing）、確立（establishing）、比較（comparing）などした事を「判断」「決定」したとみなす事を含み得る。つまり、「判断」「決定」は、何らかの動作を「判断」「決定」したとみなす事を含み得る。
【００８２】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００８３】
「含む（include）」、「含んでいる（including）」、及びそれらの変形が、本明細書あるいは特許請求の範囲で使用されている限り、これら用語は、用語「備える（comprising）」と同様に、包括的であることが意図される。さらに、本明細書あるいは特許請求の範囲において使用されている用語「又は（or）」は、排他的論理和ではないことが意図される。
【００８４】
本開示の全体において、例えば、英語でのａ、ａｎ及びｔｈｅのように、翻訳により冠詞が追加された場合、これらの冠詞は、文脈から明らかにそうではないことが示されていなければ、複数のものを含み得る。
【００８５】
なお、本発明の実施の形態において、ＣＵ１００又はＤＵ２００は、ネットワークノードの一例である。ＵＥ３００は、ユーザ装置の一例である。レイヤ情報管理部１４０は、管理部又は制御部の一例である。レイヤ情報制御部２４０は、制御部の一例である。
【００８６】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【００８７】
１００      ＣＵ
２００      ＤＵ
３００      ＵＥ
１１０      送信部
１２０      受信部
１３０      設定情報管理部
１４０      レイヤ情報管理部
２１０      送信部
２２０      受信部
２３０      設定情報管理部
２４０      レイヤ情報制御部
３１０      送信部
３２０      受信部
３３０      設定情報管理部
３４０      無線リソース制御部
１００１    プロセッサ
１００２    記憶装置
１００３    補助記憶装置
１００４    通信装置
１００５    入力装置
１００６    出力装置
【図１】
2019068149.tif 000003
【図２】
2019068149.tif 000004
【図３】
2019068149.tif 000005
【図４】
2019068149.tif 000006
【図５】
2019068149.tif 000007
【図６】
2019068149.tif 000008
【図７】
2019068149.tif 000009
【図８】
2019068149.tif 000010
【図９】
2019068149.tif 000011
【図１０】
2019068149.tif 000012
【手続補正書】
【提出日】平成30年9月26日(2018.9.26)
【手続補正１】
【補正対象書類名】特許請求の範囲
【補正対象項目名】全文
【補正方法】変更
【補正の内容】
【特許請求の範囲】
【請求項１】
ユーザ装置及び第１のネットワークノードと接続される第２のネットワークノードであって、
前記ユーザ装置と前記第２のネットワークノードとの間で終端されるレイヤに関する情報を取得する制御部と、
前記レイヤに関する情報を前記第１のネットワークノードに送信する送信部とを有し、
前記レイヤは、前記ユーザ装置と前記第１のネットワークノードとの間では終端されないネットワークノード。
【請求項２】
前記レイヤに関する情報は、ＰＨＹレイヤ、ＭＡＣレイヤ又はＲＬＣレイヤの状態を示す情報を少なくともひとつ含む請求項１記載のネットワークノード。
【請求項３】
前記ＰＨＹレイヤ、ＭＡＣレイヤ又はＲＬＣレイヤの状態を示す情報は前記ユーザ装置との同期状態を示す情報を含み、前記同期状態を示す情報が同期していないことを示す場合、前記第１のネットワークノードは、前記ユーザ装置のＲＲＣレイヤにおけるリソースを解放する請求項２記載のネットワークノード。
【請求項４】
前記レイヤに関する情報は、ＲＲＣレイヤ、ＰＤＣＰレイヤ又はＳＤＡＰレイヤの状態を示す情報を少なくともひとつ含む請求項１記載のネットワークノード。
【請求項５】
前記ＲＲＣレイヤの状態を示す情報は、前記ユーザ装置がＲＲＣレイヤの設定を完了したか否かを示す情報を含む請求項４記載のネットワークノード。
【請求項６】
ユーザ装置及び第１のネットワークノードと接続される第２のネットワークノード及び第３のネットワークノードを含む通信システムであって、
前記第２のネットワークノードは、
前記ユーザ装置と前記第２のネットワークノードとの間のＣ−Ｐｌａｎｅにおいて終端されるレイヤに関する情報を取得する管理部を有し、
前記Ｃ−Ｐｌａｎｅにおいて終端されるレイヤは、前記ユーザ装置と前記第１のネットワークノードとの間では終端されず、
前記第３のネットワークノードは、
前記ユーザ装置と前記第３のネットワークノードとの間のＵ−Ｐｌａｎｅにおいて終端されるレイヤに関する情報を取得する管理部を有し、
前記Ｕ−Ｐｌａｎｅにおいて終端されるレイヤは、前記ユーザ装置と前記第１のネットワークノードとの間では終端されない通信システム。